(57)【要約】【課題】  搬送時に被搬送物の向きや高さを容易に変更することができ、しかも、検出センサや高価な設備を省略し、作業の遅延を防止できる安価な被搬送物の搬送装置を提供する。【解決手段】  ロール体１を搬送する第一のベルトコンベヤ１０と、第一のベルトコンベヤ１０から飛び出したロール体１を第一のベルトコンベヤ１０の搬送方向と直交する方向に搬送する第二のベルトコンベヤ２０とを備え、第一のベルトコンベヤ１０の下流下方に第二のベルトコンベヤ２０を設置し、第一のベルトコンベヤ１０のベルト往路面よりも第二のベルトコンベヤ２０のベルト往路面を低位とし、第二のベルトコンベヤ２０の一側部に、飛び出したロール体１と衝突する緩衝板３０を立設するとともに、第二のベルトコンベヤ２０の他側部に、緩衝板３０に衝突して第二のベルトコンベヤ２０のベルト往路面に落下したロール体１に対向する脱落防止板４０を立設する。【選択図】  図１
2018184242.tif 000002
【特許請求の範囲】
【請求項１】
被搬送物を第一のコンベヤから第二のコンベヤに移し替え、搬送方向を変更して搬送する被搬送物の搬送装置であって、
被搬送物を搬送する第一のコンベヤと、この第一のコンベヤから飛び出した被搬送物を第一のコンベヤの搬送方向と交わる方向に搬送する第二のコンベヤとを含み、第一のコンベヤの下流に第二のコンベヤが設置され、第一のコンベヤの搬送面よりも第二のコンベヤの搬送面が低位とされており、この第二のコンベヤの一側部に、第一のコンベヤの下流から飛び出した被搬送物と衝突する緩衝部材が設けられるとともに、第二のコンベヤの他側部に、緩衝部材に衝突して第二のコンベヤの搬送面に落下した被搬送物に対向する脱落防止部材が設けられることを特徴とする被搬送物の搬送装置。
【請求項２】
被搬送物は、巻芯に長尺のシートが巻回されたロール体であり、巻芯の端部が巻回されたシートから突出する請求項１記載の被搬送物の搬送装置。
【請求項３】
第一、第二のコンベヤがそれぞれベルトコンベヤとされ、第一のベルトコンベヤの下流前方の下方に第二のベルトコンベヤが略直交して設置される請求項１又は２記載の被搬送物の搬送装置。
【請求項４】
第一のベルトコンベヤは、駆動モータの駆動により、一列に並ぶ複数のベルトが循環して複数の被搬送物を搬送可能なコンベヤであり、搬送速度が１００以上１２０ｍ／ｍｉｎ以下とされる請求項３記載の被搬送物の搬送装置。
【請求項５】
緩衝部材は、少なくとも被搬送物と衝突する被衝突面に弾性エラストマーを備える請求項１ないし４のいずれかに記載の被搬送物の搬送装置。
【発明の詳細な説明】
【技術分野】
【０００１】
本発明は、家庭用品、食品、包装用品、薬品等からなる被搬送物の搬送装置に関するものである。
【背景技術】
【０００２】
料理の保存や乾燥の防止に利用される食品包装用のロール体は、図示しないが、巻替装置により、巻芯に所定の長さの樹脂フィルムが巻き替えられ、巻替装置からカートナー装置にコンベヤで搬送された後、角筒形に起こされた包装箱の端部から内部に挿入されるとともに、包装箱の端部の複数枚のフラップが順次折り畳まれ、折り畳まれたフラップがホットメルトにより接着されることで製函される（特許文献１、２参照）。
【０００３】
巻替装置、コンベヤ、及びカートナー装置は、生産効率を向上させる観点から、可能な限り、ロール体の製造に適した向きで設置される。但し、設置場所の広さ等に配慮し、ロール体の製造に適さない向きで設置されることもある。例えば、スペース効率重視の観点から、交差して設置される場合があり、この場合には、渋滞や停滞の原因となることがある。
【先行技術文献】
【特許文献】
【０００４】
【特許文献１】特開平０５‐１３２１８６号公報
【特許文献２】特開平１０‐１３９２３０号公報
【発明の概要】
【発明が解決しようとする課題】
【０００５】
ところで、ロール体は、巻替装置から排出された向きが包装箱に対する挿入向きと９０°ずれているので、コンベヤによる搬送時に９０°自動的に回転させて向きを調整しなければならないという問題がある。これは、ロール体の製造に際しては、製造工程に対応した複数の装置が必要となるが、装置の設置場所の広さ等を考慮すると、必ずしも製品であるロール体を後工程のカートナー装置に対する投入向きで前工程から搬送できない事情があるからである。
【０００６】
また、コンベヤの搬送面高さとカートナー装置によるロール体の挿入高さとは、装置の構造や設置場所のレイアウト等により、必ずしも同一ではなく、高低差の生じる場合があり、この場合には、ロール体を高低差のあるコンベヤからカートナー装置に適切に移し替えなければならない。
【０００７】
これらの問題を解消する方法としては、ロール体を一時的に貯めるアキューム装置、ロール体の向きを変更する水平回転コンベヤ、ロール体を把持して移し替える産業用ロボットの採用等があげられる。
【０００８】
しかしながら、アキューム装置を採用すると、ロール体用の検出センサが新たに必要になるという問題が生じる。また、水平回転コンベヤを採用すると、ロール体の向きを変更することができるものの、新たな設備が必要になり、コスト削減を図ることができないという問題が生じる。また、産業用ロボットを導入すると、自動化や省力化が期待できるが、広い設置場所を確保したり、安全柵を設置する必要がある。さらに、ロール体の検出時間や産業用ロボットの動作完了を検出する検出時間を確保するため、余裕をもったタクトタイムの設定が必要になる。
【０００９】
本発明は上記に鑑みなされたもので、搬送時に被搬送物の向きや高さを容易に変更することができ、しかも、検出センサや高価な設備を省略し、作業の遅延防止を図ることのできる安価な被搬送物の搬送装置を提供することを目的としている。
【課題を解決するための手段】
【００１０】
本発明においては上記課題を解決するため、被搬送物を第一のコンベヤから第二のコンベヤに移し替え、搬送方向を変更して搬送する装置であって、
被搬送物を搬送する第一のコンベヤと、この第一のコンベヤから飛び出した被搬送物を第一のコンベヤの搬送方向と交わる方向に搬送する第二のコンベヤとを含み、第一のコンベヤの下流に第二のコンベヤが設置され、第一のコンベヤの搬送面よりも第二のコンベヤの搬送面が低位とされており、この第二のコンベヤの一側部に、第一のコンベヤの下流から飛び出した被搬送物と衝突する緩衝部材が設けられるとともに、第二のコンベヤの他側部に、緩衝部材に衝突して第二のコンベヤの搬送面に落下した被搬送物に対向する脱落防止部材が設けられることを特徴としている。
【００１１】
なお、被搬送物は、巻芯に長尺のシートが巻回されたロール体であり、巻芯の端部が巻回されたシートから突出すると良い。
また、第一、第二のコンベヤがそれぞれベルトコンベヤとされ、第一のベルトコンベヤの下流前方の下方に第二のベルトコンベヤが略直交して設置されることが好ましい。
【００１２】
また、第一のベルトコンベヤは、駆動モータの駆動により、一列に並ぶ複数のベルトが循環して複数の被搬送物を搬送可能なコンベヤであり、搬送速度が１００以上１２０ｍ／ｍｉｎ以下とされると良い。
また、緩衝部材は、少なくとも被搬送物と衝突する被衝突面に弾性エラストマーを備えると良い。
【００１３】
ここで、特許請求の範囲における被搬送物は、少なくとも単数あるいは複数の家庭用品、建築用品、食品、包装用品、薬品、ロール体が該当し、包装の有無を特に問うものではない。この被搬送物がロール体の場合、ロール体の巻芯は、第一のコンベヤの搬送方向に指向することが好ましい。ロール体のシートには、樹脂シートや樹脂フィルムが含まれる。また、第一、第二のコンベヤには、特に問題が生じないのであれば、各種のチェーンコンベヤ、ベルトコンベヤ、ローラコンベヤ等が含まれる。第一のコンベヤは、一台が主ではあるが、複数台でも良い。
【００１４】
本発明によれば、被搬送物は、第一のコンベヤの上流から下流に搬送され、第一のコンベヤの下流から飛び出す。飛び出した被搬送物は、第二のコンベヤ一側部の緩衝部材に衝突し、この緩衝部材から第二のコンベヤの搬送面に落下し、第二のコンベヤの下流に搬送される。この際、脱落防止部材は、落下した被搬送物に対向して案内し、被搬送物が第二のコンベヤから脱落するのを規制する。
【発明の効果】
【００１５】
本発明によれば、被搬送物を搬送する第一のコンベヤと、この第一のコンベヤから飛び出した被搬送物を第一のコンベヤの搬送方向と交わる方向に搬送する第二のコンベヤとを備え、第一のコンベヤの下流に第二のコンベヤを設置し、第一のコンベヤの搬送面よりも第二のコンベヤの搬送面を低位とし、この第二のコンベヤの一側部に、第一のコンベヤの下流から飛び出した被搬送物と衝突する緩衝部材を設けるとともに、第二のコンベヤの他側部に、緩衝部材に衝突して第二のコンベヤの搬送面に落下した被搬送物に対向する脱落防止部材を設けるので、搬送時に被搬送物の向きや高さを安価、かつ容易に変更することができるという効果がある。また、検出センサや高価な設備を省略し、作業の遅延防止を図ることができる。
【００１６】
請求項２記載の発明によれば、ロール体の巻芯に巻かれたシートではなく、巻芯の突出した端部が緩衝部材に衝突するので、シートの汚染や損傷が少ない。
請求項３記載の発明によれば、第一、第二のコンベヤがそれぞれベルトコンベヤなので、短距離から長距離まで広い応用が容易となる。また、箱物、袋物、ロール体等、多くの種類の被搬送物に対応することができる。また、第一、第二のベルトコンベヤによる搬送時に被搬送物の向きを９０°自動的に回転させて調整することができる。
【００１７】
請求項４記載の発明によれば、例え複数の被搬送物を同時に搬送しても、第一のベルトコンベヤから落下させるだけなので、複数の被搬送物を滞留させることなく、一度に大量処理することができる。また、この第一のコンベヤの搬送速度が１００以上１２０ｍ／ｍｉｎ以下なので、被搬送物の第一のコンベヤからの飛び出し距離が十分となり、被搬送物が第二のコンベヤの搬送面に衝突して損傷するのを抑制することが可能になる。また、被搬送物が必要以上に勢い良く飛び出し、被搬送物が緩衝板に強く衝突して損傷するのを抑制することが可能になる。
【００１８】
請求項５記載の発明によれば、被搬送物が緩衝部材の弾性エラストマーに衝突する際、弾性エラストマーが変形して被搬送物と緩衝部材との衝撃を緩和するので、被搬送物が衝突に伴い、損傷するのを防ぐことができる。
【図面の簡単な説明】
【００１９】
【図１】本発明に係る被搬送物の搬送装置の実施形態を模式的に示す要部説明図である。
【図２】本発明に係る被搬送物の搬送装置の実施形態を模式的に示す平面説明図である。
【図３】本発明に係る被搬送物の搬送装置の実施形態におけるロール体を模式的に示す側面説明図である。
【図４】本発明に係る被搬送物の搬送装置の実施形態における緩衝板を模式的に示す断面説明図である。
【発明を実施するための形態】
【００２０】
以下、図面を参照して本発明の好ましい実施の形態を説明すると、本実施形態における被搬送物の搬送装置は、図１ないし図４に示すように、食品包装用のロール体１を搬送する第一のベルトコンベヤ１０と、この第一のベルトコンベヤ１０から飛び出したロール体１を第一のベルトコンベヤ１０の搬送方向と交わる方向に搬送する第二のベルトコンベヤ２０とを備え、第二のベルトコンベヤ２０の一側部に、飛び出したロール体１と衝突する緩衝板３０を立設するとともに、第二のベルトコンベヤ２０の他側部に、第二のベルトコンベヤ２０に落下したロール体１に対向する脱落防止板４０を立設するようにしている。
【００２１】
食品包装用のロール体１は、図１ないし図３に示すように、巻芯２を備え、この巻芯２の外周面に透明帯形のフィルム４が第一のベルトコンベヤ上流（図２の左方向）の巻替装置により、２０ｍ以上５０ｍ程度、あるいは５０ｍ以上１１０ｍ程度巻回されており、第二のベルトコンベヤ下流（図２の下方向）のカートナー装置により、包装箱内に回転可能に収納される。
【００２２】
巻芯２は、所定の紙により、円筒形に形成され、両端部３が巻回されたフィルム４からそれぞれ突出する。また、フィルム４は、例えば耐熱性や耐水性等に優れるポリ塩化ビニリデン、ポリ塩化ビニル、ポリエチレン等により柔軟な薄膜に成形され、ロール体１から所定の長さ分引き出された後、包装箱の切断刃により切断され、食品の包装に利用される。
【００２３】
第一、第二のベルトコンベヤ１０・２０は、図１や図２に示すように、第一のベルトコンベヤ１０の下流前方の下方に第二のベルトコンベヤ２０の上流が直交して設置され、高位に位置する第一のベルトコンベヤ１０と低位に位置する第二のベルトコンベヤ２０とが平面Ｌ字形に組み合わされており、第一のベルトコンベヤ下流のベルト往路面からロール体１が飛び出し、このロール体１が第二のベルトコンベヤ上流の低位のベルト往路面に落下して搬送される。第一のベルトコンベヤ１０のベルト往路面から第二のベルトコンベヤ２０のベルト往路面までの高低差は、特に限定されるものではないが、例えば１ｍ以下、７０ｃｍ以下、５０ｃｍ以下等とされる。
【００２４】
第一のベルトコンベヤ１０は、架台１１の両端部等にそれぞれ回転可能に軸支される複数のプーリと、この複数のプーリ間に緊張して巻架される複数本のベルト１２とを備え、架台１１の駆動モータの駆動に基づくプーリの回転により、複数本のベルト１２がそれぞれ高速で循環してロール体１を搬送する高速型のベルトコンベヤである。この第一のベルトコンベヤ１０の架台１１は、必要に応じ、フラットに構成されたり、少なくとも一部が傾斜したり、湾曲して構成される。
【００２５】
第一のベルトコンベヤ１０の駆動モータとしては、例えばブラシレスモータ、インダクションモータ、ギャドモータ等があげられる。また、複数本のベルト１２は、複数本のロール体１を同時に搬送できるよう、例えば５本以上１０本以下の細いベルト１２が横一列に配列され、各ベルト１２がＳＢＲゴム、ＥＰＲゴム、シリコーンゴム、ポリウレタン、ポリエステル、ナイロン製等の平ベルトとされており、各ベルト１２が高速で循環してロール体１をその巻芯２の端部３である先端部が下流方向、換言すれば、搬送方向を向くよう搬送する。このベルト１２のロール体１に接触する表面は、食品衛生法に適合するよう、ウレタンやフッ素樹脂等により、抗菌処理や防カビ処理等が施される。
【００２６】
第一のベルトコンベヤ１０の搬送速度は、１００以上１２０ｍ／ｍｉｎ以下、好ましくは１０２以上１１０ｍ／ｍｉｎ以下、より好ましくは１０５以上１０８ｍ／ｍｉｎ以下とされる。これは、搬送速度が１００ｍ／ｍｉｎ未満の場合には、ロール体１の飛び出し距離が不十分となり、ロール体１のフィルム４が第二のベルトコンベヤ２０の搬送面に衝突して損傷するからである。逆に、１２０ｍ／ｍｉｎを越える場合には、ロール体１が必要以上に勢い良く飛び出し、ロール体１の巻芯先端部が緩衝板３０に強く衝突して潰れるからである。
【００２７】
第二のベルトコンベヤ２０は、架台２１の両端部等にそれぞれ回転可能に軸支される複数のプーリと、この複数のプーリ間に緊張して巻架されるエンドレスのベルト２２とを備え、架台２１の駆動モータの駆動に基づくプーリの回転により、ベルト２２が低速で循環してロール体１を搬送する低速型のベルトコンベヤである。この第二のベルトコンベヤ２０の架台２１は、必要に応じ、フラットに構成されたり、少なくとも一部が傾斜したり、湾曲して構成される。
【００２８】
第二のベルトコンベヤ２０の駆動モータの種類やベルト２２の材質は、特に限定されるものではなく、例えば第一のベルトコンベヤ１０と同様とされる。ベルト２２は、第一のベルトコンベヤ１０のベルト１２よりも幅広に形成され、表面長手方向にロール体１を挟む複数のガイドリブ２３が所定の間隔をおいて一体形成されており、これら表面と複数のガイドリブ２３とに、食品衛生法に適合するよう、ウレタンやフッ素樹脂等により、抗菌処理や防カビ処理等が施される。このベルト２２の搬送方向は、図２に示すように、ロール体１の巻芯２の向きと直交する。
【００２９】
第二のベルトコンベヤ２０の搬送速度は、特に限定されるものではないが、１０以上３０ｍ／ｍｉｎ以下、好ましくは１１以上２０ｍ／ｍｉｎ以下、より好ましくは１２以上１５ｍ／ｍｉｎ以下とされる。これは、１０以上３０ｍ／ｍｉｎ以下の範囲から外れると、複数のガイドリブ２３間からロール体１が位置ずれし、ロール体１の適切な搬送が期待できなくなるおそれがあるからである。
【００３０】
緩衝板３０は、図１や図２、図４に示すように、例えばＳＵＳ等からなる横長の金属板３１と、この金属板３１に積層接着される薄いフェルト層３２と、このフェルト層３２に積層接着される弾性エラストマー層３３とを多層構造に備え、第二のベルトコンベヤ２０の架台２１の搬送方向一側部に締結具を介して横長に立設される。
【００３１】
弾性エラストマー層３３は、特に限定されるものではないが、例えば弾性変形可能なウレタンゴム、ニトリルゴム、シリコーンゴム、クロロプレンゴム、ブチルゴム等があげられ、ロール体１の巻芯先端部と衝突する。このような緩衝板３０は、第一のベルトコンベヤ１０の下流から飛び出したロール体１の先端部と衝突し、ロール体１を第二のベルトコンベヤ２０のベルト往路面上に落下させるよう機能する。
【００３２】
脱落防止板４０は、図１や図２に示すように、例えばＳＵＳ等からなる横長の金属板からなり、第二のベルトコンベヤ２０の架台２１の搬送方向他側部に締結具を介して立設され、緩衝板３０の弾性エラストマー層３３にベルト２２を介して対向する。この脱落防止板４０は、緩衝板３０の弾性エラストマー層３３に衝突して第二のベルトコンベヤ２０のベルト往路面に落下したロール体１の端部３である末端部に対向し、ロール体１が衝突時の反動で第二のベルトコンベヤ２０から脱落するのを防止するよう機能する。
【００３３】
上記構成において、ロール体１を上流の巻替装置から下流のカートナー装置に搬送する場合、ロール体１は、第一のベルトコンベヤ１０の上流から下流にベルト１２の循環により高速で搬送され、第一のベルトコンベヤ１０の下流から巻芯２の先端部を前方に向けて飛び出す。
【００３４】
すると、ロール体１は、放物線を描きながら落下して先端部が第二のベルトコンベヤ２０の一側部上流に起立した緩衝板３０の弾性エラストマー層３３に衝突し、緩衝板３０から第二のベルトコンベヤ２０のベルト往路面に落下して複数のガイドリブ２３間に挟まれるとともに、第二のベルトコンベヤ２０の上流から下流にベルト２２の循環で搬送され、下流のカートナー装置に搬送されることとなる。この際、脱落防止板４０は、ロール体１の末端部に対向して搬送方向に案内し、ロール体１が第二のベルトコンベヤ２０から側方に脱落するのを有効に防止する。
【００３５】
上記構成によれば、スペース効率重視の観点から、第一、第二のベルトコンベヤ１０・２０が直交するので、ベルトコンベヤによる搬送時にロール体１の向きを９０°自動的に切り替えて調整することができる。また、ロール体１が第一のベルトコンベヤ１０の下流から飛び出して第二のベルトコンベヤ２０に落下し、搬送されるので、例え第一、第二のベルトコンベヤ１０・２０間に高低差があっても、ロール体１を第二のベルトコンベヤ２０からカートナー装置に適切に移し替えることができる。また、例え多数のロール体１を同時に搬送しても、第一のベルトコンベヤ１０から落下させるだけなので、ロール体１を滞留させることなく、一度に大量処理することができる。
【００３６】
また、高価なアキューム装置を特に採用する必要がないので、ロール体１用の検出センサが必要になることがない。また、第一、第二のベルトコンベヤ１０・２０、緩衝板３０、及び脱落防止板４０のみで対応することができるので、メンテナンスや調整が実に容易となる。また、水平回転コンベヤを特に採用する必要がないので、新たな設備を何ら導入する必要がなく、コスト削減が大いに期待できる。また、高価な産業用ロボットを導入する必要がないので、広い設置場所を確保する必要もない。さらに、ロール体１の検出時間や産業用ロボットの動作完了を検出する検出時間を確保する必要がないので、余裕をもったタクトタイムの設定も不要となる。
【００３７】
なお、上記実施形態では第一のベルトコンベヤ１０と第二のベルトコンベヤ２０とを平面Ｌ字形に組み合わせたが、平面Ｔ字形等に組み合わせても良い。また、複数の第一のベルトコンベヤ１０と第二のベルトコンベヤ２０とを平面Ｅ字形やＦ字形等に組み合わせても良い。また、第一のベルトコンベヤ１０の上流に巻替装置を設置し、第二のベルトコンベヤ２０の下流にカートナー装置を設置したが、何らこれらに限定されるものでない。例えば、第一のベルトコンベヤ１０の上流に各種供給装置や他のコンベヤを設置したり、第二のベルトコンベヤ２０の下流に検査装置等を設置しても良い。また、第一、第二のベルトコンベヤ１０・２０を７０°、８０°、１００°等の角度で交差させ、設置しても良い。
【００３８】
また、緩衝板３０を第二のベルトコンベヤ２０の上流一側部に立設しても良いが、上流から下流に亘る一側部に立設することができる。また、緩衝板３０を、金属板３１、フェルト層３２、及び弾性エラストマー層３３の多層構造に形成したが、金属板３１と弾性エラストマー層３３の多層構造に形成したり、弾性エラストマーのみにより形成することができる。また、緩衝板３０は、直立させても良いし、傾けながら起立させても良い。
【００３９】
また、脱落防止板４０を第二のベルトコンベヤ２０の上流他側部に立設しても良いが、上流から下流に亘る他側部に立設することもできる。また、脱落防止板４０を、金属板３１と弾性エラストマー層３３の多層構造に形成したり、弾性エラストマーにより形成することが可能である。さらに、脱落防止用の板ではなく、搬送方向に伸びる弾性エラストマー製の横長の棒とすることも可能である。
【産業上の利用可能性】
【００４０】
本発明に係る被搬送物の搬送装置は、家庭用品、建築用品、食品、包装用品、薬品等からなる搬送物の製造分野や搬送分野等で使用される。
【符号の説明】
【００４１】
１        ロール体（被搬送物）
２        巻芯
３        端部
４        フィルム（シート）
１０      第一のベルトコンベヤ（第一のコンベヤ）
１２      ベルト
２０      第二のベルトコンベヤ（第二のコンベヤ）
２２      ベルト
３０      緩衝板（緩衝部材）
３１      金属板
３２      フェルト層
３３      弾性エラストマー層（弾性エラストマー）
４０      脱落防止板（脱落防止部材）
【図１】
2018184242.tif 000003
【図２】
2018184242.tif 000004
【図３】
2018184242.tif 000005
【図４】
2018184242.tif 000006